(57)【要約】 【課題】  複数の撮像光学系を備えてもカメラ自体が大型化しないように、撮影範囲を共通の光学ファインダーで決定すること。【解決手段】  デジタルカメラ本体１１に配置された２系統の撮像光学系１２、１３の真ん中に共通の１個の光学ファインダー１４を配置し且つ、この光学ファインダー１４の視界を第１、第２の撮像光学系１２、１３の実際の撮影範囲に合わせて区画することにより、複数の撮像光学系の撮影範囲を共通の１つの光学ファインダー１４で決定することができる。【選択図】  図１
2005316342.tif 000002
【特許請求の範囲】
【請求項１】
撮像した被写体像を画像処理して画像データとして記憶するカメラにおいて、
被写体像を撮像する第１の撮像素子と第１の撮像レンズを含む第１の撮像光学系と、
被写体像を撮像する第２の撮像素子と第２の撮像レンズを含む第２の撮像光学系と、
前記第１、第２の撮像光学系に共通の光学ファインダーと、
を具備することを特徴とするカメラ。
【請求項２】
前記光学ファインダーは、前記第１の撮像光学系の第１の撮像レンズと前記第２の撮像光学系の第２の撮像レンズ間の中央に配置されていることを特徴とする請求項１記載のカメラ。
【請求項３】
前記光学ファインダーの視界は、第１の撮像光学系用の視界と第２の撮像光学系用の視界に区画されていることを特徴とする請求項１又は２記載のカメラ。
【請求項４】
前記第１及び第２の撮像光学系はそれぞれ撮像素子を備えており、前記第１の撮像光学系が有する第１の撮像素子の画素数と前記第２の撮像光学系が有する第２の撮像素子の画素数は、異なることを特徴とする請求項１乃至３いずれかに記載のカメラ。
【請求項５】
前記第１、第２の撮像光学系及び光学ファインダーに近接してストロボ発光部を配置したことを特徴とする請求項１乃至４いずれかに記載のカメラ。
【発明の詳細な説明】
【技術分野】
【０００１】
本発明は、撮像光学系を少なくとも２組内蔵したカメラに関する。
【背景技術】
【０００２】
近年、撮影画像を画像信号に変換して記憶するデジタルカメラが普及し従来の銀塩カメラの製造台数を凌駕するまでに至った。現在普及しているデジタルカメラは比較的簡単な機能を持ち撮像素子の画素数も３００万画素前後のものが多く、小型でコンパクトなものが主流である。
【０００３】
この種のデジタルカメラにおいては、撮像光学系を２組備えそれぞれの光学系で撮影した画像を合成して立体画像を得るようにしたステレオカメラが考えられており、例えば、２つの光学系入射されたそれぞれの像を画素数の異なる撮像素子それぞれに結像させ、２つの像から深度情報を得る様にして立体画像を得るようにしている（特許文献１参照）。  
【０００４】
このように、ステレオカメラでは撮像光学系を２組備えることが考えられているものの、通常のカメラでは、１組の撮像光学系で様々な機能を持たせるようにすることが一般的である。
【特許文献１】特開２００３−５７５４８号公報  （第１４頁、第１０図）
【発明の開示】
【発明が解決しようとする課題】
【０００５】
しかしながら、従来の一般的なデジタルカメラでは、撮像光学系が１組しかないため、その撮影性能には限界があり、種々の条件の撮影に対して満足できる性能を持っていないのが通常である。例えば、光学系に関して言えば、ズーム動作を必要としない撮影であってもズームレンズを用いた光学系で撮影せざるを得ず、撮像素子に関して言えば、撮像素子の画素数を多くするとあまり細かな画像を必要としない場合でも画素数の多い撮像素子で撮影せざるを得ないと言ったことが起こりえるもので、１つの撮像光学系でユーザが求める全ての性能及び機能を満足させることは困難で、仮に出来たとしてもコストが掛かり過ぎ現実的ではなかった
【０００６】
そこで、撮影性能及び機能が異なる複数組の撮像光学系、例えば、通常撮影用のズーム機能を持った第１の撮像光学系と近接撮影専門の第２の撮像光学系を設け、撮影条件や撮影対象により、最適な撮像光学系を使い分ける構成とすれば良い。しかし、その際、各撮像光学系毎に光学ファインダーを設けていたのでは、光学ファインダーにより占有されるスペースが大きくなって、デジタルカメラの本体が大きくなり、カメラを小型、軽量化できなくなってしまうし、ファインダーが複数あるとデザイン性が悪化するという問題もある。
【０００７】
本発明は、上述の如き従来の課題を解決するためになされたもので、その目的は、複数の撮像光学系の撮影範囲を共通の１個の光学ファインダーで決定することができるカメラを提供することにある。
【課題を解決するための手段】
【０００８】
この発明の課題を解決するための手段は以下の通りである。
【０００９】
請求項１の発明は、撮像した被写体像を画像処理して画像データとして記憶するカメラにおいて、被写体像を撮像する第１の撮像素子と第１の撮像レンズを含む第１の撮像光学系と、被写体像を撮像する第２の撮像素子と第２の撮像レンズを含む第２の撮像光学系と、前記第１、第２の撮像光学系に共通の光学ファインダーとを具備することを特徴とする。
【００１０】
上記発明によれば、２系統の第１、第２の撮像光学系の各撮影範囲を共通に決められる位置に光学ファインダーを配置すれば、この１個の光学ファインダーを用いて２系統の第１、第２の撮像光学系の各撮影範囲を決定することができる。光学ファインダーがひとつで済むため、カメラの小型軽量化を阻害せず、また、デザイン性を向上させることができる。
【００１１】
請求項２の発明の前記光学ファインダーは、前記第１の撮像光学系の第１の撮像レンズと前記第２の撮像光学系の第２の撮像レンズ間の中央に配置されていることを特徴とする。
【００１２】
上記発明によれば、前記光学ファインダーは、第１の撮像光学系の撮像レンズと前記第２の撮像光学系の撮像レンズ間の中央に配置されているため、第１、第２の撮像光学系により実際に撮影された範囲と、光学ファインダーにより決めた撮影範囲のずれを小さくでき且つ、このずれを第１、第２の撮像光学系において均等とすることができる。
【００１３】
請求項３の発明の前記光学ファインダーの視界は、第１の撮像光学系用の視界と第２の撮像光学系用の視界に区画されていることを特徴とする。
【００１４】
上記発明によれば、第１の撮像光学系用の視界と第２の撮像光学系用の視界に区画して第１、第２の撮像光学系により実際に撮影された範囲と、光学ファインダーにより決めた撮影範囲のずれを是正することにより、第１、第２の撮像光学系により実際に撮影された範囲と、光学ファインダーにより決めた撮像範囲を同一とすることができる。
【００１５】
請求項４の発明は、前記第１及び第２の撮像光学系はそれぞれ撮像素子を備えており、前記第１の撮像光学系が有する第１の撮像素子の画素数と前記第２の撮像光学系が有する第２の撮像素子の画素数は、異なることを特徴とする。
【００１６】
上記発明によれば、被写体や撮影画像の使用目的に応じて、適切な画素数の撮像光学系を使用することにより、撮影画像を記録するメモリ容量を有効活用することができる。
【００１７】
請求項５の発明は、前記第１、第２の撮像光学系及び光学ファインダーに近接してストロボ発光部を配置したことを特徴とする。
【００１８】
上記発明によれば、被写体が暗い場合でもストロボを用いて撮影することができる。
【００１９】
上記本発明によれば、複数の撮像光学系の各撮影範囲を共通に決められる位置に光学ファインダーを配置すれば、この１個の光学ファインダーを用いて複数の撮像光学系の各撮影範囲を決定することができる。光学ファインダーがひとつで済むため、カメラの小型軽量化を阻害せず、また、デザイン性を向上させることができる。
【発明の効果】
【００２０】
以上詳細に説明したように、本発明によれば、複数の撮像光学系に対して共通の１個の光学ファインダーを配置し且つ、光学ファインダーの視界を各撮像光学系の実際の撮影範囲に合わせて区画することにより、複数の撮像光学系の撮影範囲を共通の光学ファインダーで決定することができる。
【００２１】
また、光学ファインダーがひとつで済むため、カメラの小型、軽量化を阻害せず、また、デザイン性を向上させることができる。
【発明を実施するための最良の形態】
【００２２】
本発明は、２個の撮像光学系の撮影範囲を１つの光学ファインダーで決定することができるカメラを提供するために、これら撮像光学系の撮像レンズの真ん中に共通の光学ファインダーを配置することによって実現した。
【実施例１】
【００２３】
図１は、本発明の第１の実施の形態に係るデジタルカメラの構成を示した斜視図である。デジタルカメラ２０には、デジタルカメラ本体１１の前面には、撮像光学系１２及び撮像光学系１３の２組の撮像光学系が設けられており、撮像光学系１２及び撮像光学系１３の中央には光学ファインダー１４が配置されている。また、デジタルカメラ本体１１の上面シャッタースイッチ１５、モード切替スイッチ１６及びズームスイッチ１７が設けられ、デジタルカメラ本体１１の背面にはモニター表示部である液晶表示部（図示せず）を有している。
【００２４】
図２は上記したデジタルカメラ２０の回路ブロック図である。撮像光学系１２は固定焦点レンズである撮影レンズ１２１を介して入射される物体像が結像される撮像素子１２２を備えると共に、図示していないが、撮像レンズ１２１と撮像素子１２２との間に配置される絞り駆動機構やこの絞り機構の駆動回路などを備えている。撮像光学系１３はズームレンズなどを含む複数のレンズなどから構成される撮影レンズ１３１を介して入射される物体像が結像される撮像素子１３２を備えると共に、図示していないがズームレンズの駆動機構や撮像レンズ１３１と撮像素子１３２との間に配置される絞り駆動機構や各駆動機構の駆動回路などを備えている。撮像素子１２２は例えば画素数が約２００万画素であり、撮像素子１３２は約４００万画素に構成されている。そして撮像素子１２２及び撮像素子１３２から読み出された信号はそれぞれ画像処理部２１、２２に送られてデジタル処理されＪＰＥＧ等の規格に従って圧縮され、画像処理部２１と画像処理部２２のいずれかの出力を選択する切替スイッチ２３の端子ａ、ｂにそれぞれ送られる。
【００２５】
シャッタースイッチ１５、モード切替スイッチ１６及びズームスイッチ１７のスイッチ信号は制御部２４に入力される。モード切替スイッチ１６は、撮像光学系１２を用いて撮影するか或いは撮像光学系１３を用いて撮影するかを選択するスイッチであり、シャッタースイッチ１５は２段階スイッチで構成され、モード切替スイッチ１６によって選択された撮像光学系を用いて撮影を行わせるスイッチである。尚、図示していないが、制御部２４には露光センサ、オートフォーカスセンサなどのセンサデータが入力されており、シャッタースイッチ１５の１段目のスイッチが入ると各センサデータに基づき露出計測、オートフォーカス計測がなされて絞りやレンズ位置の移動（撮影レンズ１３１のみ）が行われ、シャッタースイッチ１５の２段目のスイッチが入ると制御部２４からはシャッター信号Ｓが画像記録部２６に送られ、画像記録部２６はその時点でのスチル画像をＩＣメモリなどから構成される着脱可能な外部メモリ５０に記憶させて撮影がなされるものである。
【００２６】
その為に、制御部２４からは、撮像光学系１２に絞り制御や撮像素子１２２の駆動（読み出し）のための制御信号Ｆ０が供給され、撮像光学系１３に、レンズ移動、絞り制御、撮像素子１３２の駆動（読み出し）のための制御信号Ｆ１が供給される。また、切替スイッチ２３に対して接続端子を、端子ａ、ｂのいずれかに切り替えるための制御信号Ｆ２が供給されるもので、光学撮像系１２が選択されていた場合には端子ａ側に、光学撮像系１３が選択されていた場合には端子ｂ側に切替がなされる。
【００２７】
尚、上記切替スイッチ２３を介して供給される画像処理部２１、２２のいずれかの出力画像データは上記画像記録部２６に送られると共に、液晶表示部２５にも送られて表示される。
【００２８】
図３は光学ファインダー１４の構成を示した図である。即ち、光学ファインダー１４を背面から撮影者が覗いた時の視界を示した図で、視界の４隅に使用する撮像光学系により光学ファインダー１４の使用すべき視界を区画するマークが表示されている。即ち、撮像光学系１２と１３とは撮影像の入射線が平行となるように構成されているので、撮像光学系１２の視界領域はマークＡで示す範囲となり、撮像光学系１３を使用した時の視界領域はマークＢの範囲となる。
【００２９】
次に本実施の形態の動作について説明する。撮影者はモード切替スイッチ１６を操作して撮像光学系１２、１３のいずれか一方を選択する。これにより、撮像光学系１２及び１３のうち選択された光学系の制御系が動作することとなり、撮像光学系１２が選択された場合には、撮像レンズ１２１により撮像素子１２２上に結像された物体像の受光信号が画像処理部２１に入力される。画像処理部２１は前記物体像に対応する画像データを生成して切替スイッチ２３の端子ａに出力する。同様に、撮像光学系１３が選択された場合には、撮像レンズ１３１により撮像素子１３２上に結像された物体像の受光信号が画像処理部２２に入力され、画像処理部２２は前記物体像に対応する画像データを生成して切替スイッチ２３の端子ｂに出力する。
【００３０】
ここで、切替スイッチ２３が端子ａ側に切り替わっていた場合、画像処理部２１から出力される画像データが液晶表示部２５に表示される。撮影者は後述する光学ファインダー１４による撮影画像の確認以外に、この液晶表示部２５に画像が表示されるのを見て撮影する画像を確認することも出来る。
【００３１】
ここで、撮像光学系１２が選択されている場合、撮影者は光学ファインダー１４を覗いて被写体に撮像光学系１２の撮像レンズ１２１を向けるが、その時、図３に示すように光学ファインダー１４のＡで示されるマークで区画された視界領域を用いて被写体を狙う。これにより、光学ファインダー１４は撮像光学系１２のファインダーとして機能する。
【００３２】
また、撮像光学系１３が選択されている場合、撮影者は光学ファインダー１４を覗いて被写体に撮像光学系１３の撮像レンズ１３１を向けるが、その時、図３に示すようにフィンダー１４のＢで示されるマークで区画された視界領域を用いて被写体を狙う。これにより、光学ファインダー１４は撮像光学系１３のファインダーとして機能する。
【００３３】
撮影者は光学ファインダー１４を覗いて被写体を狙いシャッター１５を押すと制御部２４からはシャッター信号Ｓが画像記録部２６に出力される。その時、画像処理部２１、もしくは画像処理部２２から出力されている画像データが切替スイッチ２３を介して画像記録部２６に入力されているため、画像記録部２６はその時の画像データを外部メモリ５０に記録し、撮影が終了する。
【００３４】
本実施の形態によれば、２系統の撮像光学系１２、１３の真ん中に１個の光学ファインダー１４を配置し、この光学ファインダー１４の視界領域を撮像光学系１２、１３用に区画することにより、１個の光学ファインダー１４で２系統の撮像光学系１２、１３のファインダーを兼用することができる。
【００３５】
また、２系統の撮像光学系１２、１３に対して光学ファインダー１４が１個で済むため、デジタルカメラ２０の小型化を阻害することはなく、また、デザイン性を害することもなくなる。
【実施例２】
【００３６】
図４は、本発明の第２の実施の形態に係るデジタルカメラ３０の構成を示した斜視図である。但し、第１の実施の形態と同様の部分には同一符号を付し、適宜その説明を省略する。本実施の形態のデジタルカメラ３０は光学ファインダー１４の上部で且つ撮像光学系１２と撮像光学系１３との中央にストロボ発光部１８を配置したものである。ストロボ発光部１８は撮像光学系１２と撮像光学系１３との中央に配置されているので、撮像光学系１２によるストロボ撮影時と撮像光学系１３によるストロボ撮影との両方に使用することができる。
【実施例３】
【００３７】
図５は、本発明の第３の実施の形態に係るデジタルカメラの構成を示した斜視図である。但し、第１の実施の形態と同様の部分には同一符号を付し、適宜その説明を省略する。本実施の形態のデジタルカメラ４０は、縦方向に配置された２系統の撮像光学系１２、１３の撮像レンズ１２１、１３１間の中央を通る線上で且つ、撮像レンズ１２１、１３１の脇に光学ファインダー１４が配置されているところが、第１の実施の形態と異なるところである。このような構成でも、光学ファインダー１４の視界を撮像レンズ１２１、１３１に応じて区画することにより、第１の実施の形態と同様の効果を得ることができる。
【００３８】
尚、本発明は上記実施の形態に限定されることなく、その要旨を逸脱しない範囲において、具体的な構成、機能、作用、効果において、他の種々の形態によっても実施することができる。例えば、撮像光学系１２、１３のレンズ光学系の性能及び機能は同一にし、撮像素子１２２、１３２の画素数のみを変えた構成であっても良く、或いは逆に、撮像素子１２２と撮像素子１３３との画素数を同じにし、レンズ光学系の性能機能を異ならせるようにしてもよい。また、撮像光学系１２及び１３を同時に使用して立体カメラとして使用できるようにしてもよいものである。
【００３９】
更に、上記撮像光学系１２及び１３の一方を動画撮影用の撮像光学系とし、他方をスチル画撮影用の撮像光学系としてもよく、更にまた、撮像素子でなく銀塩フィルムに撮像を写し込む銀塩カメラに適用しても同様の効果を得ることができる。
【図面の簡単な説明】
【００４０】
【図１】本発明の第１の実施の形態に係るデジタルカメラの構成を示した斜視図である。
【図２】図１に示したデジタルカメラの制御系を示した回路ブロック図である。
【図３】図１に示した光学ファインダーの視界構造を示した図である。
【図４】本発明の第２の実施の形態に係るデジタルカメラの構成を示した斜視図である。
【図５】本発明の第３の実施の形態に係るデジタルカメラの構成を示した斜視図である。
【符号の説明】
【００４１】
１１  デジタルカメラ本体
１２、１３  撮像光学系
１４  光学ファインダー
１５  シャッター
１６  モード切替スイッチ
１７  電源スイッチ
１８  ストロボ発光部
２０、３０、４０  デジタルカメラ
２１、２２  画像処理部
２３  切替スイッチ
２４  制御部
２５  液晶表示部
２６  画像記録部
１２１、１３１  撮像レンズ
１２２、１３２  撮像素子
Ａ、Ｂ  マーク
【図１】
2005316342.tif 000003
【図２】
2005316342.tif 000004
【図３】
2005316342.tif 000005
【図４】
2005316342.tif 000006
【図５】
2005316342.tif 000007